(57)【要約】【課題】  遊技球を安定して遊技領域に誘導することができる遊技機を提供する。【解決手段】  遊技盤の下方に配設され、遊技球６を発射する発射装置１８と、該発射装置１８によって発射された遊技球６を遊技盤に設けられた遊技領域の上部に誘導する誘導路１９とを具備する遊技機１であって、誘導路１９は、遊技盤に対して手前側から奥側へ傾斜するように設けられていることを特徴とする。なお、誘導路１９は、発射装置１８によって発射された遊技球６が走行する底面と該傾斜面の両端から立設された一対の側壁部とから形成されることを特徴とするものであっても構わない。【選択図】  図１
2006181153.tif 000002
【特許請求の範囲】
【請求項１】
遊技球を遊技領域に発射する発射装置と、該発射装置によって発射された遊技球を遊技盤に設けられた遊技領域の上部に誘導する誘導路とを具備する遊技機であって、
前記誘導路は、前記遊技盤に対して手前側から奥側へ傾斜するように設けられている
ことを特徴とする遊技機。
【発明の詳細な説明】
【技術分野】
【０００１】
本発明は遊技機に関するものであり、遊技球を使用して遊技を行なう遊技盤に関するものである。
【背景技術】
【０００２】
従来、パチンコ機等の遊技機は、遊技媒体である遊技球を遊技盤に形成された遊技領域に投入し、この遊技球を入賞口に入賞させることによって遊技が行なわれるものである。
【０００３】
そして、遊技球を遊技領域に投入するために、遊技機は、遊技球を発射する発射装置と、この発射装置によって発射された遊技球を遊技領域の上部に誘導する誘導路とを備えているものが一般的である。さらに詳しく説明すると、誘導路は、遊技盤の盤面に並行して立設された一対のレールと、遊技盤と、この遊技盤の盤面を覆う扉部とによって形成されており、発射装置によって発射された遊技球は、この誘導路によって遊技領域の上部に誘導され、投入される。
【０００４】
【特許文献１】特開２００１−３３４０２６号公報
【発明の開示】
【発明が解決しようとする課題】
【０００５】
ところで、この遊技盤及び扉部は、遊技機の設置面に対して略鉛直方向に立設されているものが一般的である。そして、遊技領域の盤面と扉部の裏面との間の寸法は、遊技領域内にて球詰まりを生じにくくするために、遊技球の直径より大寸に形成されている。これにより、発射装置によって発射された遊技球は、遊技領域の盤面に沿って走行する場合と、扉部の裏面に沿って走行する場合と、遊技領域の盤面及び扉部における裏面のいずれにも接触することなく走行する場合とが生じる。その結果、誘導路から遊技領域に投入される遊技球の軌道が不安定になる恐れがあった。
【０００６】
そこで、本発明は、上記実情に鑑みて、遊技球を安定して遊技領域に誘導することができる遊技機の提供を課題とするものである。
【課題を解決するための手段】
【０００７】
前記課題を解決するための有効な手段を以下に示す。なお、必要に応じて、その作用等についても説明する。
【０００８】
手段１は、遊技盤の下方に配設され、遊技球を発射する発射装置と、該発射装置によって発射された遊技球を遊技盤に設けられた遊技領域の上部に誘導する誘導路とを具備する遊技機であって、
前記誘導路は、前記遊技盤に対して手前側から奥側へ傾斜するように設けられている
ことを特徴とする遊技機。
【０００９】
本手段では、誘導部の誘導路は、後方に傾斜する傾斜面を備えている。これにより、遊技球を、この傾斜面に沿って発射し、走行させることが可能となり、遊技球が描く軌道が安定化する。したがって、本手段によれば、遊技球を安定して遊技領域に誘導することができる遊技機とすることができる。なお、本手段のように、遊技盤の前後方向に遊技球を安定させるばかりでなく、誘導路を左右方向についても傾斜させれば、左右方向に遊技球を安定させることができる。ここで、前後方向の傾斜を直線状又は曲線状とすればよく、左右方向の傾斜を直線状又は曲線状とすればよい。特に、両方を曲線状とすれば、誘導路はスパイラル状となり、遊技球を二方向に的確に安定させることができる。
【００１０】
手段２は、手段１の遊技機において、前記誘導路は、前記発射装置によって発射された遊技球が走行する傾斜面と、該傾斜面の両端から立設された一対の側壁部とから形成されることを特徴とする遊技機。
【００１１】
本手段では、発射装置によって発射された遊技球は、常に傾斜面の両端から立設された一対の側壁部の間、すなわち傾斜面に沿って走行する。したがって、本手段によれば、遊技球をより安定した状態で遊技領域に誘導することができる。なお、一対の側壁部間の幅寸法については、誘導路内の球詰まりを防止するためには、遊技球の直径より大寸であることが好適であり、遊技球の直径の１１０％以上に設定されていることが好ましい。一方、遊技球が一対の側壁部によって好適に誘導されるためには、一対の側壁部間の幅寸法は、遊技球の直径に近い寸法であることが好適であり、遊技球の直径の１５０％以下に設定されていることが好ましい。
【００１２】
手段３は、手段１または手段２の遊技機において、前記誘導路の上端部は、前記遊技領域の盤面に対して略同一面となるように設けられており、前記誘導路における前記遊技盤の盤面との当接部付近は、前記遊技盤に沿って円弧状に湾曲した形状を呈することを特徴とする遊技機。
【００１３】
本手段では、誘導路の上端部は盤面と略同一面となるように設けられている。これにより、傾斜面の上端部と遊技盤の盤面との間には高低差がなくなる。したがって、本手段によれば、遊技球を遊技領域の盤面上に円滑に誘導することができる。
【００１４】
さらに、本手段では、誘導路の遊技盤の盤面との当接部付近は、遊技盤に沿って円弧状に湾曲した形状を呈する。これにより、当接部は遊技盤の盤面に対して緩やかな傾斜を形成する。その結果、遊技球は、緩やかな傾斜に沿って遊技盤の盤面に誘導される。したがって、本手段によれば、遊技球を、より安定した状態で遊技領域に投入することができる。
【００１５】
手段４は、手段３の遊技機において、前記当接部は、弾性を有する部材によって構成されていることを特徴とする遊技機。
【００１６】
本手段では、誘導路の遊技盤の盤面との当接部が弾性部材によって構成される。これにより、当接部は遊技盤の盤面に沿って弾性変形をするため、遊技盤の盤面に対して緩やかな傾斜を形成する。なお、弾性部材としては、弾性に優れた樹脂、又はゴム等を例示することができる。
【００１７】
手段５は、手段１から手段までのいずれか一つの遊技機において、前記誘導路は、前記遊技盤に向かって左側の領域において前記誘導路の進行方向を略鉛直に沿って設けられ、前記発射装置は、前記誘導路の下方に設けられていることを特徴とする遊技機。
【００１８】
前述のように、従来の遊技機は、遊技盤の右下端側から左上端側に亘って誘導路が設けられているものが一般的であり、この場合発射装置は、遊技機の右下部に設けられていた。なお、略鉛直は、水平に対して９０°を含むものではない。また、水平に対して４５°以上、好ましくは、６０°以上、さらに好ましくは、７５°以上、傾いていれば良い。
【００１９】
従来の遊技機は、遊技内容の多様化に伴って、遊技領域に液晶ディスプレイや装飾ランプ等を配設し、遊技者に新たな興趣を提供しているものが一般的になっている。そして、近年では、この表示装置等が大型化される傾向にあり、これに伴い、遊技領域における遊技球が移動する領域が縮小する傾向にあった。
【００２０】
本手段では、誘導路及び発射装置は遊技盤の左側に配設される。これにより、遊技盤の下部と下方に誘導路及び発射装置を設けるための領域を確保する必要がなくなり、遊技盤を下方に拡張することが可能になる。したがって、本手段によれば、遊技領域を、より広く確保することができ、遊技球の興趣を向上させることができる。
【００２１】
手段６は、手段１から手段５までのいずれか一つの遊技機において、前記遊技盤の下方に設けられ、遊技球を貯留する貯留部と、
前記誘導路に連通する第一連通口及び前記貯留部に連通する第二連通口を有し、前記誘導路を逆流する遊技球をファール球として前記貯留部に誘導する回収路と
を具備することを特徴とする遊技機。
【００２２】
発射装置によって発射されて誘導路内を走行する遊技球のうち、遊技領域に到達しなかった遊技球は誘導路内を逆流するため、次に発射された遊技球との衝突が生じる。これにより、遊技球を連続的に発射できなくなる場合があった。
【００２３】
本手段では、誘導路内を逆流するこのような遊技球（いわゆるファール球）は、逆流する途中で回収路によって貯留部に誘導される。これにより、ファール球と次の遊技球とが衝突することを防止することができる。したがって、本手段によれば、発射装置による遊技球の発射を連続的に行なうことができる。
【００２４】
手段７は、手段１から手段６までのいずれか一つの遊技機において、前記遊技盤に対して開閉自在に取設され、遊技盤の前面を覆う扉部を具備する遊技機であって、前記誘導路は、前記扉部に設けられていることを特徴とする遊技機。
【００２５】
本手段では、誘導路は扉部に設けられている。これにより、扉部を開くことによって、誘導路の奥側の遊技領域も開放される。したがって、本手段によれば、遊技領域の点検、修理、又は清掃等の管理を容易に行なうことができる。
【００２６】
手段８は、手段７の遊技機において、前記遊技盤に対する前記誘導路の相対位置を位置決めする位置決め手段を具備することを特徴とする遊技機。
【００２７】
ここで、「位置決め手段」は、遊技盤に対する誘導路の相対位置を決めるためのものであり、例えば、遊技盤の盤面における所定の位置に凸設された凸部と、誘導路における所定の位置に凹設された凹部とを対応させることにより位置合わせを行なうようにしたもの等が挙げられる。
【００２８】
本手段では、誘導路は、位置決め手段によって所定の位置に設定される。したがって、本手段によれば、誘導路を高い精度で定められた位置に配設することができる。
【００２９】
手段９は、手段１から手段６までのいずれか一つの遊技機において、前記遊技盤に対して開閉自在に取設され、遊技盤の前面を覆う扉部を具備する遊技機であって、
前記誘導路は、
前記遊技盤に配設されると共に前記遊技盤と一体的に構成され、手前側に開口部が形成された溝形状を呈する誘導路本体と、
前記扉部に配設されると共に前記扉部と一体的に構成され、前記開口部を閉塞可能な蓋体と
から構成されることを特徴とする遊技機。
【００３０】
本手段では、誘導路本体は遊技盤に固定され、誘導路本体の開口部を閉塞する蓋体は扉部に固定されている。これにより、扉部を開くことによって誘導路の内部は開放される。したがって、本手段によれば、誘導路内の点検、修理、又は清掃等の管理を容易に行なうことができる。
【００３１】
手段１０は、手段１から手段９までのいずれか一つの遊技機において、前記誘導路における手前側を形成する部材の少なくとも一部が、透明性を有する部材によって形成されていることを特徴とする遊技機。
【００３２】
本手段では、誘導路の前面側の少なくとも一部が、透明性を有する素材によって形成される。これにより、遊技者は誘導路内を移動する遊技球を視認することが可能となる。したがって、本手段によれば、遊技機の興趣を向上させることができる。なお、誘導路を構成する前面側の部材だけではなく、後面側を構成する部材も透明性を有する素材によって形成すると、誘導路を通じて遊技領域を視認することができて、好適である。
【００３３】
手段１１は、手段７から手段１０までのいずれか一つの遊技機において、前記扉部が開かれている場合には前記誘導路を閉塞し、前記扉部が閉じられている場合には前記誘導路を開放する球漏防止機構を具備することを特徴とする遊技機。
【００３４】
扉部を開放した状態で発射装置によって遊技球が発射された場合、この遊技球は遊技機の外部へ飛出すおそれがある。
【００３５】
本手段では、誘導路に球漏防止機構が設けられる。これにより、扉部が開かれた状態では、誘導路が閉塞される。したがって、本手段によれば、発射装置によって発射された遊技球が遊技機の外部へ飛出すことがなくなる。
【発明の効果】
【００３６】
上述の通り、本発明によれば、遊技球を安定して遊技領域に誘導することができる遊技機を提供することができる。
【発明を実施するための最良の形態】
【００３７】
以下に、本発明に係る遊技機の一例を、図面に基づいて詳細に説明する。
【００３８】
図１及び図２に示すように、遊技機１は、外枠２、内枠３、遊技盤４、及び扉部５から主に構成されるものである。外枠２は、板材により全体として矩形状に構成され、遊技機１の外殻を形成するものである。内枠３は、この外枠２の手前側に配置され、外枠２の一端（図１における左側）に開閉可能に取設されているものである。そして、外枠２内には、遊技機１を作動させるための電源装置、遊技球６の入賞に伴い所定数の遊技球６を賞球として払出す払出装置、及び、遊技機１の遊技状態を電気的に制御する制御装置等（図示しない）が組付けられている。
【００３９】
次に、遊技盤４について、さらに詳しく説明する。遊技盤４の盤面には、レール７によって遊技領域８が区画形成されている。そして、図３に示すようにこの遊技領域８の中央付近には、液晶ディスプレイ９ａ、及び装飾用の電飾ランプ９ｂを含む表示装置９が配設されている。さらに、この表示装置９の周辺には、多数の障害釘（図示しない）、遊技球６が入賞する複数の入賞口（図示しない）、及び始動口１０等が設けられている。その他に、遊技盤４にはアウト口１１が設けられており、入賞口等に入球しなかった遊技球６はこのアウト口１１を通って球排出路（図示しない）へと案内されるようになっている。
【００４０】
次に、主に図１に基づいて、扉部５についてさらに詳しく説明する。扉部５は、遊技盤４の手前側に配置されると共に内枠３の一端（図３における左側）に開閉可能に取設された上扉部１２と、内枠３の手前側における上扉部１２を除く領域に配置されると共に内枠３の一端（図３における左側）に開閉可能に取設された下扉部１３とから構成されている。上扉部１２は、遊技領域８の手前側を覆うガラス板１４と、このガラス板１４を保持する保持枠１５とから主に構成されているものであり、この上扉部１２が閉められた状態では、遊技機１の手前側からは、このガラス板１４を通じて遊技領域８が視認される。一方、図１に示すように、下扉部１３には、上述の払出装置によって賞球として払出された遊技球６を、下扉部１３に形成された払出口１６ａを介して収容し、貯留する貯留部１６と、後述する発射装置を操作するための発射ハンドル１７とが配設されている。
【００４１】
さらに、主に図１に示すように、上扉部１２及び下扉部１３の左側は、前方に突出して形成されている。そして、この突出部の内部には、遊技領域８に向けて遊技球６を発射する発射装置１８、及び、この発射装置１８によって発射された遊技球６を遊技領域８に誘導する誘導路１９を構成する第一誘導部材２０及び第二誘導部材２１が設けられている。なお、上扉部１２の突出部１２ａ及び第二誘導部材２１は、不透明な材料で形成されていてもよいが、透明な樹脂等によって形成すれば、第二誘導部材２１内を走行する遊技球６を視認することが可能になる。
【００４２】
ここで、図３に示すように、上述の発射装置１８は、下扉部１３における突出部１３ａの内部に設置されており、遊技球６を配置する発射台（図示しない）と、発射台に配置された遊技球６を略鉛直方向に発射する打球ハンマー（図示しない）とを備えるものである。なお、前述の貯留部１６には、この発射台に遊技球６を供給するための供給口２２が形成されている。これにより、貯留部１６に貯留された遊技球６は、この供給口２２を経由し、順次一球ずつ発射台に供給されるように設定されている。また、打球ハンマーは、発射モータ（図示しない）に接続され、発射ハンドル１７の操作に応じた発射を行なうことができるように設定されている。
【００４３】
次に、上述の誘導路１９について、さらに詳しく説明する。図１乃至図４に示すように、誘導路１９は、第一誘導部材２０と、第二誘導部材２１と、弾性片２６と、ガイドレール２３とにより構成されている。図１に示すように、下扉部１３の突出部１３ａにおける発射装置１８の上方には、第一誘導部材２０が略鉛直方向に設けられており、上扉部１２の突出部１２ａにおける第一誘導部材２０の上方には、第二誘導部材２１が延設されている。なお、図４に示すように、第一誘導部材２０及び第二誘導部材２１は、手前側から奥側へ傾斜するように設けられている。
【００４４】
さらに、図２に示すように、この第二誘導部材２１の上部２１ａは、上扉部１２から後方へ突出しおり、この第二誘導部材２１の上端からは、弾性片２６が延設されている。そして、遊技領域８の左上部には、遊技領域８の外周形状に沿って内向きに湾曲するように形成されたガイドレール２３が取設されている。これにより、発射装置１８によって発射された遊技球６は、第一誘導部材２０内と、第二誘導部材２１内と、弾性片２６上と、ガイドレール２３及びレール７間を通過して遊技領域８の上部に誘導されることになる。
【００４５】
また、図４に示すように、下扉部１３内には、発射装置１８によって発射された遊技球６のうち、遊技領域８に到達しなかった遊技球６をファール球として回収するための回収路２４を構成する回収部材２５と、球漏防止機構４０とが設けられている。
【００４６】
回収部材２５についてさらに詳しく説明すると、第一誘導部材２０には、第一連通口２５ａが形成されている。一方、図１又は図２に示すように、貯留部１６には、第二連通口２５ｂが形成されている。そして、図３に示すように、第一誘導部材２０と、貯留部１６との間には、第一連通口２５ａ及び第二連通口２５ｂを連通する回収路２４を構成する回収部材２５が設けられている。これにより、ファール球となった遊技球６は回収路２４を通過して、下扉部１３に形成された貯留部１６に返却されるようになっている。なお、この第一連通口２５ａ付近には、誘導路１９を閉塞する誘導路閉状態と、回収路２４を閉塞する回収路閉状態との間で弾性変形可能に構成された板バネ２８が取設されている。
【００４７】
ところで、図１及び図２に示すように、貯留部１６内は、矢印Ａ方向に傾斜して形成されている。そして、この傾斜の上位側に前述の払出口１６ａ及び第二連通口２５ｂが形成されている。一方、傾斜の下位側には、前述の供給口２２が形成されている。これにより、払出口１６ａ及び第二連通口２５ｂを介して流入してきた遊技球６は、傾斜に沿って流下し、供給口２２から流出して、発射装置１８に供給される。払出口１６ａ、供給口２２、及び第二連通口２５ｂは、貯留部１６の一側、具体的には左側に集約して配設されているため、貯留部１６の奥側に払出口１６ａ、供給口２２、及び第二連通口２５ｂへの遊技球６の流通路の形成スペースを確保する必要がない。よって、貯留部１６の奥側を遊技領域８とすることもでき、これにより、遊技領域８を拡大することができる。
【００４８】
次に、図４に基づいて、球漏防止機構４０について、さらに詳しく説明する。球漏防止機構４０は、第一誘導部材２０に形成されたスリット４１と、このスリット４１に挿入可能に形成された遮蔽板４２と、この遮蔽板４２を水平方向にスライドさせるスライド手段（図示しない）とから構成されるものである。この球漏防止機構４０は、上扉部１２及び下扉部１３が共に閉められた状態の場合（図４（ａ）参照）には、誘導路１９を開放する状態を保持して遊技球６を通過させる。一方、上扉部１２が開けられた状態の場合（図４（ｂ）参照）等、上扉部１２及び下扉部１３の少なくともいずれか一方が開けられた状態の場合には、遮蔽板４２を前方向（矢印Ｂ）にスライドさせることによって誘導路１９を閉塞して遊技球６の通過を防ぐものである。これにより、遊技球６が遊技機１の外部に飛出すのを防止することができる。ここで、スライド手段とは、具体的な構成を限定するものではないが、例えば、前方向（矢印Ｂ）に付勢するバネ等を用いて、バネの付勢力により遮蔽板４２を前方にスライドさせて誘導路を閉塞するもの等が挙げられる。また、手動によって遮蔽板４２を移動させるように構成することも可能であり、この場合には、移動手段を省略することができる。
【００４９】
次に、遊技領域８に対する第二誘導部材２１の相対位置を決める位置決め手段２９について説明する。図５（ａ）に示すように、位置決め手段２９は、遊技領域８の盤面に枠状に突設された四個の突出部３０と、第二誘導部材２１の上部２１ａにおける裏面に遊技領域８に向けて突設された凸部３１とから構成されるものである。この凸部３１は、上扉部１２が閉塞状態にある場合に、遊技領域８に設けられた四個の突出部３０によって形成される凹部３２に嵌合するように形成されている。これにより、上扉部１２が閉塞される過程で、第二誘導部材２１の裏面の凸部３１が遊技領域８の凸部３１の間に嵌合される（図５（ｂ）参照）。その結果、第二誘導部材２１は、常に高い精度で配置される。また、第二誘導部材２１は、遊技領域８の盤面に対して並行する方向への移動が制限される。これにより、遊技球６が通過する際に、第二誘導部材２１の上部２１ａががたつくことを防止することができる。
【００５０】
次に、本実施形態の遊技機１における遊技球６の動きについて説明する。貯留部１６に貯留されている遊技球６は、供給口２２を介して発射装置１８の発射台に案内される。そして、遊技者による発射ハンドル１７の操作に応じて作動した発射装置１８によって発射された遊技球６は、誘導路１９に進入し、第一誘導部材２０内と、第二誘導部材２１内と、弾性片２６上と、ガイドレール２３及びレール７間を通過して遊技領域８の上部に誘導される。
【００５１】
なお、前述のように、誘導路１９を構成する第一誘導部材２０及び第二誘導部材２１は、手前側から奥側へ傾斜して設けられているため、第一誘導部材２０及び第二誘導部材２１の底面及び天井面は、遊技盤４に対して手前側から奥側へ傾斜している。さらに、図１乃至図４に示すように、第一誘導部材２０及び第二誘導部材２１は、底面又は天井面の両端からは、一対の側壁部が立設されている。これにより、発射装置１８によって発射された遊技球６は、発射装置１８の発射力が大きい場合には、第一誘導部材２０及び第二誘導部材２１の天井面を走行し、発射装置１８の発射力が小さい場合には第一誘導部材２０及び第二誘導部材２１の床面を走行する。その結果、本実施形態の遊技機１は、発射装置によって発射された遊技球６を、安定して遊技領域８に誘導することができる。
【００５２】
また、弾性片２６は、遊技領域８の盤面に沿って弾性変形をするため、遊技領域８に対して緩やかな傾斜を形成している。さらに、誘導路１９の上端部は、ガイドレール２３、レール７、及び遊技領域８の盤面によって構成されている。これにより、第一誘導部材２０及び第二誘導部材２１の傾斜に沿って走行してきた遊技球６は、緩やかな傾斜によって遊技盤４の盤面に良好に誘導され、レール７及びガイドレール２３の湾曲に沿って遊技領域８の上部に円滑に誘導される。
【００５３】
また、主に図１に示すように、ガイドレール２３の上端には、板バネ３３が取設されている。これにより、遊技領域８に到達した遊技球６が、表示装置９や遊技釘等との衝突によって跳ね返り、誘導路１９内に戻ろうとした場合には、板バネ３３に接触して誘導路１９への進入は防がれる。これにより、遊技領域８に到達した遊技球６の誘導路１９内への逆流を確実に防ぐことができる。
【００５４】
一方、発射装置１８によって発射された遊技球６のうち、遊技領域８内に到達しなかった遊技球６は、ファール球として誘導路１９を逆流する。ここで、前述のように、第一連通口２５ａ付近には、板バネ２８が取設されている。この板バネ２８は、発射装置１８によって発射された遊技球６が下方から走行する際には、遊技球６に押圧されて弾性変形し、連通口を閉塞して平坦な傾斜面を形成する（図４二点鎖線参照）。一方、遊技球６がファール球として上方から落下してきた際には、誘導路１９を閉塞し、この遊技球６を回収路２４に案内する。これにより、下方から走行してくる遊技球６は上方への走行を継続させ、上方から落下移動してくる遊技球６は以降の落下を防いで回収路２４へ導くことになる。したがって、ファール球として誘導路１９を逆流してきた遊技球６は、回収路２４を通過して貯留部１６に誘導される。
【００５５】
ところで、遊技領域８で球詰まりが生じた場合や、遊技領域８を清掃する場合等には、上扉部１２を開けることによって遊技領域８の盤面を開放することができる。なお、誘導路１９を構成する第二誘導部材２１は上扉部１２内に設けられているため、上扉部１２を開くことによって、第二誘導部材２１の奥側の遊技領域８も開放される。これによって、遊技領域８の全面の管理を行ないやすくすることができる。
【００５６】
そして、再度上扉部１２を閉じる際には、前述の位置決め手段２９を構成する凹部３２及び凸部を嵌合させる。これにより、遊技領域８に対して誘導路１９は、常に高い精度で配置される。なお、前述のように、第二誘導部材２１の上端からは、弾性片２６が延設されている。これにより、上扉部１２を閉める際の第二誘導部材２１の遊技領域８との衝突力が緩和され、遊技領域８の盤面に傷を付けることを防止することができる。また、弾性片２６は、遊技領域８の盤面に当接する際に弾性変形し、盤面に密接した状態となる。これにより、誘導路１９の遊技領域８への連通状態を安定して保持することができる。
【００５７】
なお、前述したように、上扉部１２及び下扉部１３の少なくともいずれか一方が開いている場合には、球漏防止機構４０が作動し、遮蔽板４２によって第一誘導部材２０が構成する誘導路１９が閉塞される。これにより、発射装置１８によって発射された遊技球６が遊技機１の外部に飛出すのを防止することができる。
【００５８】
以上、説明したように、本実施形態によれば、遊技球を安定して遊技領域に誘導することができる遊技機とすることができる。
【００５９】
また、本実施形態によれば、誘導路１９及び回収路２４が遊技盤４の手前側に遊技盤４から離間して形成されているため、遊技盤４に誘導路１９のための領域を確保する必要がなくなり、遊技領域８を拡張させることが可能になる。これにより、外形寸法を変形することなく遊技領域８を広く確保することができる遊技機とすることができる。
【００６０】
また、誘導路１９及び回収路２４を遊技領域８の左側に沿って略鉛直方向に配置し、さらに、発射装置１８を誘導路１９の下方に配置したことによって、遊技領域８の視認性を向上させることができる。
【００６１】
また、本実施形態の遊技機１は、発射装置１８に供給する遊技球６を貯留する手段及びファール球として誘導路１９から回収された遊技球６を貯留する手段として貯留部１６が一体に設けられている。これにより、遊技機１の下部において貯留部を設置するために要するスペースを縮減することが可能となり、遊技盤４を下方に拡張して遊技領域８をより広く確保することが可能となる。さらに、貯留部１６を単一にすることによって、ファール球として回収された遊技球６がそのまま発射装置１８に供給される。これにより、使い勝手のよい遊技機とすることができる。
【００６２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００６３】
すなわち、本実施形態の遊技機１において、誘導路１９を構成する部材は、扉部５と一体的に設けられているものを例示したが、これに限定されるものではない。例えば、誘導路１９を構成する部材は、遊技盤４の盤面又は内枠２に、遊技盤に対して手前側から奥側へ傾斜するように取設されるものであっても構わない。この場合、部材の一部は、扉部５によって構成されるものであることが好ましい。これにより、扉部５を開くことによって誘導路１９の内部が開放されることとなるため、誘導路内の点検、修理、又は清掃等の管理を容易に行なうことができる。
【００６４】
また、本実施形態の遊技機１において、誘導路１９は、遊技盤に向かって左側の領域に設けられているものを例示したが、これに限定されるものではない。例えば、従来の遊技機における誘導路と同様の、遊技盤の右下端側から左上端側に亘って円弧状に誘導部材を扉部５に取設したものであっても構わない。この場合にも、誘導路は遊技盤４の盤面から離間して設けられているため、誘導路の奥側を遊技領域８として利用することができる。なお、この場合には、遊技領域８の下部の手前側に誘導路が位置することとなるため、誘導路を構成する部材には透明性を有する素材を使用することが特に望ましい。
【００６５】
また、本実施形態の遊技機１において、配設されている貯留部が単一であるものを例示したが、これに限定されるものではなく、従来の遊技機と同様に、ファール球として誘導路から回収された遊技球を貯留する部材と、発射装置に供給する遊技球を貯留する部材とを別部材によって形成するものであっても構わない。
【００６６】
また、本実施形態の遊技機１において、球漏防止機構４０として、下扉部１３内において、第一誘導部材２０に形成されたスリット４１と、このスリット４１に挿入可能に形成された遮蔽板４２と、この遮蔽板４２を水平方向にスライドさせるスライド手段とから構成されるものを例示したが、これに限定されるものではない。例えば、図６に示すように、球漏防止機構４０は、ピニオン５２と、第二誘導部材２１の上部２１ａに貫挿され、誘導路１８に略一致する貫通孔５１ａ、及び、ピニオン５２が噛合するラック５１ｂが形成された遮蔽板５１と、遊技盤４の盤面に手前方向に垂設され、ピニオン５２が噛合するラック５０ａが形成された固定板５０とから構成されるものであり、上扉部１２を閉じた状態の場合には、遮蔽板５１の貫通孔５１ａを誘導路１８に合致させることによって誘導路１９を開通し、上扉部１２を開いた状態の場合には、ピニオン５２の回転により遮蔽板５１をスライドさせることによって誘導路１９を閉塞するラックアンドピニオン機構を採用したものであっても構わない。
【図面の簡単な説明】
【００６７】
【図１】上扉部を閉じた状態の遊技機を示す斜視図である。
【図２】上扉部を開いた状態の遊技機を示す斜視図である。
【図３】上扉部を閉じた状態の遊技機を示す正面図である。
【図４】（ａ）は、誘導路を開放した状態における要部の構成を示す拡大断面図であり、（ｂ）は誘導路を閉塞した状態における要部の構成を示す拡大断面図である。
【図５】位置決め手段を示す斜静である。
【図６】（ａ）は、球漏防止機構の別例を示す断面図であり、（ｂ）は、球漏防止機構の別例の要部の構成を示す拡大斜視図である。
【符号の説明】
【００６８】
１  遊技機
２  外枠
３  内枠
４  遊技盤
５  扉部
６  遊技球
７  レール
８  遊技領域
９ａ  液晶ディスプレイ
９ｂ  電飾ランプ
９  表示装置
１０  始動口
１１  アウト口
１２  上扉部
１２ａ  突出部
１３  下扉部
１３ａ  突出部
１４  ガラス板
１５  保持枠
１６  貯留部
１６ａ  払出口
１７  発射ハンドル
１８  発射装置
１９  誘導路
２０  第一誘導部材
２１ａ  上部
２１  第二誘導部材
２２  供給口
２３  ガイドレール
２４  回収路
２５  回収部材
２５ａ  第一連通口
２５ｂ  第二連通口
２６  弾性片
２８  板バネ
３０  突出部
３１  凸部
３２  凹部
３３  板バネ
４０  球漏防止機構
４１  スリット
４２  遮蔽板
５０ａ  ラック
５０  固定板
５１ｂ  ラック
５１ａ  貫通孔
５１  遮蔽板
５２  ピニオン
【図１】
2006181153.tif 000003
【図２】
2006181153.tif 000004
【図３】
2006181153.tif 000005
【図４】
2006181153.tif 000006
【図５】
2006181153.tif 000007
【図６】
2006181153.tif 000008